(57)【要約】      （修正有）【課題】画像中の異なる複数の色間の識別性を向上させる。【解決手段】色変換の対象となる画像データを取得する画像データ取得部と、画像データ取得部にて取得される画像データの画像中で使用されている色を判別する使用色判別部と、使用色判別部にて判別された色に予め対応付けられている複数の色を示す変換候補色情報を取得する候補色情報取得部と、画像の画面表示を行なうモニタと、候補色情報取得部にて取得される変換候補色情報が示す複数の色をモニタにて表示させる表示制御部と、ユーザの操作入力を受け付ける操作入力部と、表示制御部によりモニタにて表示させた選択候補としての複数の色の内のいずれかを選択するユーザの選択操作に基づいて、使用色判別部にて判別された色を、選択操作により選択された色に色変換する色変換部と、色変換部により色変換された画像を所定の出力先に出力する色変換済画像出力部と、を備える色変換装置。【選択図】図３
2012090268.tif 000002
【特許請求の範囲】
【請求項１】
色変換の対象となる画像データを取得する画像データ取得部と、
前記画像データ取得部にて取得される画像データの画像中で使用されている色を判別する使用色判別部と、
前記使用色判別部にて判別された色に予め対応付けられている複数の色を示す変換候補色情報を取得する候補色情報取得部と、
画像の画面表示を行なうディスプレイと、
前記候補色情報取得部にて取得される変換候補色情報が示す複数の色を前記ディスプレイにて表示させる表示制御部と、
ユーザの操作入力を受け付ける操作入力部と、
前記表示制御部により前記ディスプレイにて表示させた選択候補としての複数の色の内のいずれかを選択するユーザの選択操作に基づいて、前記使用色判別部にて判別された色を、前記選択操作により選択された色に色変換する色変換部と、
前記色変換部により色変換された画像を所定の出力先に出力する色変換済画像出力部と、
を備える色変換装置。
【請求項２】
色変換の対象となる画像データを取得する画像データ取得部と、
前記画像データ取得部にて取得される画像データの画像中で使用されている色を判別する使用色判別部と、
前記使用色判別部にて判別された色に予め対応付けられている複数の色を示す変換候補色情報を取得する候補色情報取得部と、
画像の画面表示を行なうコントロールパネルと、
前記候補色情報取得部にて取得される変換候補色情報が示す複数の色を前記コントロールパネルにて表示させる表示制御部と、
ユーザの操作入力を受け付ける操作入力部と、
前記表示制御部により前記コントロールパネルにて表示させた選択候補としての複数の色の内のいずれかを選択するユーザの選択操作に基づいて、前記使用色判別部にて判別された色を、前記選択操作により選択された色に色変換する色変換部と、
前記色変換部により色変換された画像を印刷媒体に出力する色変換済画像出力部と、
を備える画像処理装置。
【請求項３】
色変換の対象となる画像データを取得し、
前記取得した画像データの画像中で使用されている色を判別し、
前記判別した色に予め対応付けられている複数の色を示す変換候補色情報を取得し、
前記変換候補色情報が示す複数の色を画像の画面表示を行なうディスプレイにて表示し、
前記ディスプレイにて表示させた選択候補としての複数の色の内のいずれかを選択するユーザの選択操作に基づいて、前記使用色判別部にて判別された色を、前記選択操作により選択された色に色変換し、
前記色変換した画像を所定の出力先に出力する
色変換方法。
【請求項４】
色変換の対象となる画像データを取得し、
前記取得した画像データの画像中で使用されている色を判別し、
前記判別した色に予め対応付けられている複数の色を示す変換候補色情報を取得し、
前記変換候補色情報が示す複数の色を前記画像の画面表示を行なうコントロールパネルにて表示し、
前記コントロールパネルにて表示させた選択候補としての複数の色の内のいずれかを選択するユーザの選択操作に基づいて、前記判別された色を、前記選択操作により選択された色に色変換し、
前記色変換した画像を印刷媒体に出力する
画像処理方法。
【発明の詳細な説明】
【技術分野】
【０００１】
この明細書に記載の実施形態は、画像中における異なる複数の色間での識別性（色弁別性）を向上させる技術に関するものである。
【背景技術】
【０００２】
従来、色覚障害者が画像情報における色の弁別をし易いようにするために、画像情報中で色覚障害者が弁別しにくいと考えられる色の箇所を自動で検出し、この検出された箇所を色覚障害者が弁別し易い色に自動で変換する技術が知られている。
また、コンピュータの表示画面上の色を変換するものとして、特許文献１のような技術も知られている。
【先行技術文献】
【特許文献】
【０００３】
【特許文献１】特開２００２−７４３８０号公報
【発明の概要】
【発明が解決しようとする課題】
【０００４】
しかし、上記従来技術では、単に、色覚障害者が弁別しにくいと考えられる色を色覚障害者が弁別しやすいと考えられる色に自動で変換しているだけであり、弁別しやすい色は色覚障害者毎に異なるため、変換後の画像についても弁別しにくい場合があった。
また、単に、色覚障害者が見にくいと考えられる箇所のみの色を変換するだけであるため、画像に多くの種類の色が用いられている場合、画像の内容を把握するのに時間がかかるという問題もあった。
【０００５】
この明細書は上述した問題点を解決するためになされたものであり、画像中における異なる複数の色間での識別性（色弁別性）を向上させる技術を提供することを目的とする。
【課題を解決するための手段】
【０００６】
上記課題を解決するために、色変換装置は、色変換の対象となる画像データを取得する画像データ取得部と、前記画像データ取得部にて取得される画像データの画像中で使用されている色を判別する使用色判別部と、前記使用色判別部にて判別された色に予め対応付けられている複数の色を示す変換候補色情報を取得する候補色情報取得部と、画像の画面表示を行なうディスプレイと、前記候補色情報取得部にて取得される変換候補色情報が示す複数の色を前記ディスプレイにて表示させる表示制御部と、ユーザの操作入力を受け付ける操作入力部と、前記表示制御部により前記ディスプレイにて表示させた選択候補としての複数の色の内のいずれかを選択するユーザの選択操作に基づいて、前記使用色判別部にて判別された色を、前記選択操作により選択された色に色変換する色変換部と、前記色変換部により色変換された画像を所定の出力先に出力する色変換済画像出力部とを備える。
【発明の効果】
【０００７】
以上に詳述したように、この明細書によれば、画像中における異なる複数の色間での識別性を向上させる技術を提供できる。
【図面の簡単な説明】
【０００８】
【図１】画像処理システムの構成を示す概略構成図である。
【図２】画像処理装置のハードウェア構成図である。
【図３】画像処理装置の機能ブロック図である。
【図４】コントロールパネルにおける候補色パターンの選択画面の一例を示す図である。
【図５】画像処理装置の制御フローチャートの一例である。
【図６】色変換装置の制御フローチャートの一例である。
【発明を実施するための形態】
【０００９】
以下、実施形態について図面を参照しつつ説明する。
（第１実施形態）
以下、この発明を実施するための形態を図面に基づいて具体的に説明する。
図１は、第１の実施形態の画像処理システム１の構成の一例を示す概略構成図である。
画像処理システム１は、例えば、画像処理装置２とクライアント端末３を備えている。
画像処理装置２とクライアント端末３とは、例えばＬＡＮ４（Local Area Network）等の電気通信回線によって、相互通信可能に接続されている。
画像処理装置２は、コピー機能、プリンタ機能、スキャナ機能、ＦＡＸやＥメールの送受信機能を有するＭＦＰ（Multifunction Peripheral）である。
クライアント端末３は、ユーザがネットワーク端末としての情報閲覧や操作入力に使用する装置であり、例えばＰＣ（Personal Computer）等により構成される。
【００１０】
以下、画像処理装置２の詳細について説明する。
図２は、画像処理装置２のハードウェア構成図である。
【００１１】
図２に示すように、画像処理装置２は、例えば、プリンタ２０１、プロセッサ２０２、スキャナ２０３、メモリ２０４（記録部）、コントロールパネル２０５、補助記憶装置２０６およびＡＳＩＣ２０７を有する。
プロセッサ２０２は、メモリ２０４や補助記憶装置２０６（例えばＨＤＤ（Hard Disk Drive）など）に格納されているプログラムを実行することにより、画像処理装置２におけるシート搬送制御、各種画像処理、データ送受信処理、スキャン処理および印刷処理等の各種処理を実現する。
プリンタ２０１は、スキャナ２０３により読み取られた画像データやクライアント端末３からＬＡＮ４を介して画像処理装置２に送信される画像データを印刷媒体（例えば紙）に印字出力する。コントロールパネル２０５は、画像処理装置２におけるユーザの操作入力を受け付け、かつ画像処理装置２における処理内容に関する画面表示を行う。また、コントロールパネル２０５は、画像処理装置２において実行される各種処理の処理結果を表示する。
ＡＳＩＣ（Application Specific Integrated Circuit）２０７は、画像処理装置２における制御処理や演算処理等の各種処理を回路的に実行する。
【００１２】
クライアント端末３のハードウェア構成は、公知のＰＣと同様である。具体的には、図１に示すように、クライアント端末３は、例えば、プロセッサ３０１、メモリ３０２、ユーザからの操作入力を受付けるキーボード３０３、マウス３０４およびユーザに画像を表示するモニタ３０５（ディスプレイ）を有する。
【００１３】
続いて、画像処理装置２が備える各種機能について説明する。
図３は、画像処理装置２が備える機能構成を示す機能ブロック図である。図３に示す各機能ブロックの機能は、例えば、メモリ２０４や補助記憶装置２０６等に格納されている各種プログラムを、プロセッサ２０２にて実行させることにより実現される。
【００１４】
画像処理装置２は、画像データ取得部２１、使用色判別部２２、操作入力部２３、記憶制御部２４、候補色情報取得部２５、色変換部２６、表示制御部２７、および色変換済画像出力部２８を有する。また、後述する色変換装置（不図示）についても画像処理装置２と同様の機能を有するものとする。
【００１５】
補助記憶装置２０６に予め記憶されているプログラムはメモリ２０４に読み込まれ、プロセッサ２０２はメモリ２０４に読み込まれたプログラムを実行する。色変換済画像出力部２８は、プリンタ２０１に印刷処理の実行を指示する。また、画像データ取得部２１は、スキャナ２０３にてスキャンされた原稿の画像データを取得する。
【００１６】
画像データ取得部２１は、クライアント端末３から送信される画像データ（ＰＤＬ（Page Description Language）等）、またはスキャナ２０３により原稿をスキャンして得られる画像データを取得する。画像データ取得部２１は、取得した画像データを使用色判別部２２へ送る。また、操作入力部２３が画像データの変換をしないとのユーザの選択を取得した場合は、画像データ取得部２１は、色変換部２６に画像データを送る。
【００１７】
使用色判別部２２は、画像データ取得部２１で取得された画像データの画像中で使用されている色（使用色）を判別する。具体的には、画像データ取得部２１がクライアント端末３から画像データを取得する場合は、使用色判別部２２は、画像データ中の使用色に関する情報を判別する。また、画像データ取得部２１がスキャナ２０３から画像データを取得する場合は、使用色判別部２２は、取得された画像データをＯＣＲ（Optical Character Recognition）処理やカラー認識処理により解析して、画像データ中の使用色に関する情報を判別する。このように、使用色判別部２２が判別した画像データ中の使用色に関する情報を候補色情報取得部２５へ送る。
【００１８】
操作入力部２３は、コントロールパネル２０５にてユーザにより入力される操作入力情報を取得する。この操作入力情報を候補色情報取得部２５または色変換部２６へと送る。
【００１９】
記憶制御部２４は、画像処理装置２で画像データの印刷処理を実行できる色数、またはユーザがコントロールパネル２０５で設定した印刷処理に利用する色数などをメモリ２０４に格納する。さらに、記憶制御部２４は、画像データの色を色覚障害者も弁別しやすい色へ変換するための所定の色変換テーブルもメモリ２０４に格納する。
【００２０】
候補色情報取得部２５は、使用色判別部２２で判別した画像データ中の使用色に関する情報や操作入力部２３で取得したユーザの操作入力情報に基づいて、クライアント端末３側で事前登録されている色数、記憶制御部２４が事前にメモリ２０４に格納しているユーザの指定した色数、記憶制御部２４が事前にメモリ２０４に格納している画像処理装置２が印刷処理できる色数のうち、いずれの色数で印字出力するかを判定する。そして、候補色情報取得部２５は、この色数における判定に伴って、記憶制御部２４が事前にメモリ２０４に格納した所定の色変換テーブルを用いて、図４に示すような複数の候補色パターン（変換候補情報）（色の組合せ）を生成する。
【００２１】
ここで、所定の色変換テーブルには、使用色判別部２２で判別された色および色数と、色覚障害者でも弁別できる色および色数に変換できる色変換パターンとが対応付けられて、複数パターン記憶されている。具体的には、図４のように３色それぞれからなる候補色パターンを４つコントロールパネル２０５に表示する場合には、色変換テーブルには使用色判別部２２で判別された複数の色数を３色に変換するための色変換パターンA、色変換パターンB、色変換パターンC、色変換パターンDが記憶されている。この色変換テーブルを用いて、複数の候補色パターンをそれぞれコントロールパネル２０５に表示することで、使用者が弁別し易い候補色パターンを視覚的に選択することができる。また、一般的に視覚障害を持つ使用者が弁別しにくい表示色は赤紫色や緑色と言われている。そこで、これを考慮して、赤紫色や緑色を除いた色により形成した色変換パターンA、色変換パターンB、色変換パターンC、色変換パターンDとし、複数の候補色パターンを表示制御部２７がコントロールパネル２０５に表示させる構成としても良い。この構成により、ユーザが弁別し易い複数の候補色パターンのうち、最も弁別し易い候補色パターンを選択することができる。
【００２２】
色変換部２６は、候補情報取得部２５で生成した複数の候補色パターンからユーザが選択した候補色パターンを、画像データ取得部２１で取得した画像データに適用して、修正画像データ（色変換された画像）を生成する。
【００２３】
表示制御部２７は、候補色情報取得部２５で生成した候補色パターンや色変換部２６で生成した修正画像データに基づくプレビュー画像をコントロールパネル２０５に表示する。なお、色変換装置の場合は、表示制御部２７は、候補色パターンや修正画像データに基づくプレビュー画像をモニタ３０５に表示する。
【００２４】
色変換済画像出力部２８は、色変換部２６で形成した画像データや修正画像データを、ユーザの操作入力に基づいて、印刷媒体に印刷処理を実行する。なお、色変換装置の場合は、色変換済画像出力部２８は、クライアント端末３のモニタ３０５に画像データや修正画像データを表示することもできる。
【００２５】
次に本実施形態の画像処理装置２の制御処理（画像処理方法）について図５を用いて説明する。
【００２６】
画像処理装置２は、起動すると、画像処理装置２の動作に必要な初期化処理を行なう（ＡＣＴ１）。この初期化処理を行った後に、コントロールパネル２０５において、画像処理装置２で画像データを印刷するのに用いる色数をユーザに入力するように要求する。この要求に伴い、ユーザがコントロールパネル２０５に印刷処理に用いる色数を入力すると、この入力した色数を操作入力部２３で取得して、操作入力部２３は記憶制御部２４へと送る。そして、記憶制御部２４は、この入力された色数をユーザにより指定した印刷処理に用いる色数としてメモリ２０４に格納する（ＡＣＴ１）。クライアント端末３から画像データの送信、またはスキャナ２０３により画像データが読み込まれると、この画像データを画像データ取得部２１が取得する（ＡＣＴ２）。
【００２７】
画像データ取得部２１が、画像データを取得すると、表示制御部２７は、ユーザに対して色変換するか否かを求める選択要求をコントロールパネル２０５に表示させる。ユーザがコントロールパネル２０５で画像データの色変換をしないと選択した場合、操作入力部２３は、色変換しない旨を色変換部２６へ送る。色変換部２６は、クライアント端末３から送信された画像データまたはスキャナ２０３により読み取られた画像データについての色を変更することなく、画像データを印刷媒体に印字出力するように色変換済画像出力部２８に指示する。この指示に基づいて、色変換済画像出力部２８は画像データを記録媒体に印字する（ＡＣＴ３１）。
【００２８】
操作入力部２３にて、ユーザによる色変換する旨の選択を取得した場合は、画像データ取得部２１は、画像データ取得部２１で取得した画像データを使用色判別部２２へと送信する。使用色判別部２２は、使用色判別部２２に送信された画像データを解析して、画像データに使用されている色や画像データに使用されている色を判別する。この判定結果を使用色判別部２２は候補色情報取得部２５へと送る。候補色情報取得部２５は、使用色判別部２２で判別された情報に基づいて、クライアント端末３側で事前登録されている色数、記憶制御部２４が事前にメモリ２０４に格納したユーザの指定した色数、記憶制御部２４が事前にメモリ２０４に格納した画像処理装置２の印刷処理できる色数のうち、いずれの色数で表示するかの色分類を判定する（ＡＣＴ４）。候補色情報取得部２５が色分類を判定すると、この色分類を記憶制御部２４が予めメモリ２０４に格納した色変換テーブルを読み出して、複数の候補色パターン（色覚障害者が弁別し易い色を組み合わせた色パターン）を生成する（ＡＣＴ５）。ここで、候補色パターンとしては、１〜１０色、より好ましくは５色により生成すると良い。候補色パターンを１０色より多い色で生成すると、候補色パターンに基づいて色変換部２６で生成される修正画像データも複雑になる。複雑な修正画像データが印刷された印刷媒体は、特に色覚障害者にとっては、内容把握が難しい。
【００２９】
候補色情報取得部２５は、生成した候補色パターンを表示制御部２７へと送信する。表示制御部２７は、この送信された候補色パターンをコントロールパネル２０５に対して図４の表示出力を行う（ＡＣＴ６）。そして、ユーザは、コントロールパネル２０５に表示されている複数の候補色パターンから好みの色パターンを選択して、選択された色パターンを操作入力部２３で取得して、色変換部２６へと送る（ＡＣＴ７）。このように、複数の候補色パターンをコントロールパネル２０５に表示することで、色覚障害者（ユーザ）が最も弁別しやすい候補色パターンを選択して、画像データを印刷媒体に印字出力することができる。すなわち、色覚障害者のそれぞれの好みに合わせて、画像データを印字出力することができる。また、コントロールパネル２０５に表示された複数の候補色パターンから色覚障害者が弁別しやすい候補色パターンを選択するだけのため、ユーザは簡単な方法により自分の好みに合った候補色パターンで画像データを印字出力することができる。
【００３０】
色変換部２６は、複数の候補色パターンのうちユーザにより選択された候補色パターンに基づいて、記憶制御部２４がメモリ２０４に格納した所定の色変換テーブルを読み出して、画像データの色変換を行い、修正画像データを生成する。修正画像データは、色変換部２６から色変換済画像出力部２８に送られ、修正画像データを印刷媒体に印刷する処理が行われる（ＡＣＴ７）。このように、ユーザにより候補色パターンを選択して、修正画像データを生成して印刷処理を行うため、画像データ取得部２１で取得される画像データが同じであっても、画像処理装置２の操作時毎に異なる印刷設定により印刷処理を実行することができる。この構成は、特に教育や講習会などに用いられるテキストにおいて有効である。すなわち、講習会の受講者に配布するテキストの内容は同じであるが、受講者毎に異なる色のテキストを受講者に配布することができる。これにより、受講者に色覚障害者が含まれる場合でも、色覚障害者も他の受講者と同じようにテキストの内容を十分に理解することができる。さらに、テキストの内容としては同じであるが、講習会を実施する日や講習会の実施会場毎に強調するポイントや注意点を変えたい場合でも、テキストの配色を容易に変えることができるため、ユーザ（講師）の意図に基づいて、任意のテキストを容易に作成することができる。
【００３１】
ところで、コントロールパネル２０５に複数の候補色パターンを表示してユーザに候補色パターンの選択要求をする際に、図４に示すように色選択モードをコントロールパネル２０５に表示させても良い。この色選択モードがユーザにより選択されると、コントロールパネル２０５で表示されている候補色パターン以外の色を指定して画像データを印字出力することができる（ＡＣＴ６１）。具体的には、色選択モードがユーザにより選択されたことを操作入力部２３で取得すると、操作入力部２３が色選択モードの選択を候補色情報取得部２５に送り、候補色情報取得部２５によってコントロールパネル２０５に画像処理装置２が印刷処理できる色を表示させる。このコントロールパネル２０５に表示された色の中からユーザが特定の色を選択すると、操作入力部２３は、ユーザにより選択された特定の色を色変換部２６へ送る。そして、色変換部２６が、ユーザの選択した特定の色により画像データを表示するように色変換を行い、修正画像データを生成する。色変換部２６は、修正画像データを色変換済画像出力部２８へ送り、色変換済画像出力部２８によって修正画像データの印刷処理を実行する（ＡＣＴ７）。このように色選択モードを候補色情報取得部２５に設けることで、ユーザは候補色情報取得部２５により自動で生成した候補色パターンに限られることなく、ユーザの最も弁別し易い色により印刷処理を実行することができる。
【００３２】
また、色変換部２６は、修正画像データを色変換済画像出力部２８へ送る前に、表示制御部２７により修正画像データをプレビュー画像としてコントロールパネル２０５に表示させるようにしても良い。この構成により、ユーザは、色変換済画像出力部２８で修正画像データを実行する前に、修正画像データがユーザにとって弁別しやすい印刷物であるのかを確認したうえで、印刷処理を実行することができる。これにより、画像処理装置２により無駄な印刷物が発生することを防ぐことができる。さらに、色変換部２６が修正画像データのプレビュー画像をコントロールパネル２０５に表示した際に、ユーザが修正画像データを修正することができるようにしても良い。このようにコントロールパネル２０５において修正画像データのプレビュー画像を確認しながら印刷処理を実行することで、ユーザが視覚的に認識しながらユーザの好みに合った色により印刷媒体に対して印刷処理を実行することができる。
【００３３】
上記実施形態において、ユーザがコントロールパネル２０５に表示された複数の候補色パターンから最適な候補色パターンを選択するものとして説明したが、ユーザがクライアント端末３のモニタ３０５に表示された複数の候補色パターンから最適な候補色パターンを選択する形式としても良い。
【００３４】
この構成においては、画像データを画像データ取得部２１が取得後、候補色情報取得部２５が複数の候補色パターンを形成し、画像データ取得部２１からクライアント端末３へと複数の候補色パターンを送信させる。そして、候補色情報取得部２５から送信された複数の候補色パターンをモニタ３０５に表示させて、ユーザに対して最適な候補色パターンの選択を要求するようにしても良い。
【００３５】
さらに、この構成において、ユーザによる候補色パターンの選択を記憶制御部２４においてユーザと対応付けて格納させても良い。具体的には、画像データ取得部２１は、クライアント端末３から画像データ取得部２１に送信される画像データから、画像処理装置２を使用するユーザ識別情報（例えばユーザＩＤ情報）を取得する。そして、色変換部２５により、このユーザ識別情報とユーザがモニタ３０５で選択された候補色パターンとを関連付け、記録制御部２４がこの関連付けられた情報をメモリ２０４に格納する。このように、記憶制御部２４が、ユーザ識別情報と候補色パターンを関連付けた情報をメモリ２０４に格納することで、クライアント端末３から画像データを画像データ取得部２１で受信した後に、候補色情報取得部２５は、この画像データに含まれるユーザ識別情報と関連する候補色パターンをメモリ２０４から取得し、候補色パターンの選択をユーザに再度要求することなく、候補色情報取得部２５において修正画像データを生成することができる。この構成により、ユーザが印刷処理毎にモニタ３０５において候補色パターンを選択することなく、それぞれのユーザにとって弁別しやすい色による印刷処理を自動で実行することができる。
【００３６】
また、上記実施形態において、ユーザが画像処理装置２を操作するタイミングに応じて、ユーザ識別情報と候補色パターンを関連付けた情報をメモリ２０４に格納することとして説明したが、画像処理装置２を使用する全てのユーザについて、各ユーザと候補色パターンを関連付けた情報を一括して予めメモリ２０４に格納させるものとしても良い。この構成により、各ユーザは画像処理装置２を最初に使うときから、特に候補色パターンを選択することなく、ユーザが弁別し易い候補色パターンにより印刷処理を実行することができる。
【００３７】
また上記実施形態では、色変換済画像出力部２８は、色変換部２６により色変換された画像を印刷媒体に印刷処理するとして説明したが、色変換された画像を印刷媒体ではなくモニタ３０５に出力するようにしても良い。
【００３８】
具体的には、図６に示すような制御フローチャートにより行われる。まず、クライアント端末装置３を起動させると、モニタ３０５（ディスプレイ）でこれからモニタ３０５に表示させる画像データに関して色変換をするか否かをユーザに要求する（ＡＣＴ１０１、ＡＣＴ１０２、ＮＯ）操作入力部２３が、ユーザがモニタ３０５に表示させる画像データの色変換をしないとの情報を取得すると、操作入力部２３は、色変換部２６で色変換をしないで画像データをモニタ３０５に表示させるように色変換部２６に出力する。そして、色変換部２６が色変換済画像出力部２８を介して、モニタ３０５に画像データを通常表示させる（ＡＣＴ１０３）。操作入力部２３が、ユーザがモニタ３０５に表示させる画像データの色変換をするとの情報を取得すると、画像データ取得部２１は、取得した色変換の対象となる画像データを使用色判別部２２へ送る（ＡＣＴ１０２、ＹＥＳ）。使用色判別部２２は、画像データの画像中で使用されている色を判別し、候補色情報取得部２５へと送る（ＡＣＴ１０４）。この使用色判別部２２にて判別された色に予め対応付けられている複数の色を示す変換候補色情報を、所定の色変換テーブルを用いて生成する（ＡＣＴ１０５）。表示制御部２７は、この候補色情報取得部２５で生成される変換候補色情報が示す複数の色をモニタ３０５にて表示する（ＡＣＴ１０６）。操作入力部２３は、表示制御部２７によりモニタ３０５にて表示させた選択候補としての複数の色の内のいずれかを選択するユーザの選択操作情報を取得する（ＡＣＴ１０７）。色変換部２６は、操作入力部２３で取得されたユーザの選択操作情報に基づいて、使用色判別部２２にて判別された色を、選択操作により選択された色に色変換する（ＡＣＴ１０８）。色変換済画像出力部２８は、前記色変換部２６により色変換された画像をモニタ３０５に出力する（ＡＣＴ１０９）。
【００３９】
この上記構成により、モニタ３０５に表示される画面についても、ユーザが弁別し易い色で表示することができる。
【００４０】
なお、上記構成における画像データ取得部２１が取得する画像データは、クライアント端末３またはスキャナ２０３からの画像データやクライアント端末３のモニタ３０５で表示する画像データを含むものである。
【００４１】
また、上記実施形態において、色変換部２６は、画像データ取得部２１から直接画像データを取得して、ユーザが選択した候補色パターンで修正画像データを生成すると説明したが、必ずしもこれに限られるものではない。すなわち、記憶制御部２４で画像データ取得部２１が取得した画像データを一旦メモリ２０４に格納した後に、色変換部２６がメモリ２０４から画像データおよび色変換テーブルを読み出して色変換を行っても良い。この構成により、色変換部２６は、画像データ取得部２１で取得した大容量の画像データについても円滑に色変換を行うことができる。
【００４２】
また、上述の実施の形態にて各種処理プログラムをプロセッサ２０２に実行させることにより実現される各種処理は、その少なくとも一部または全部を、ＡＳＩＣ２０７にて回路的に実行させることも可能であることは言うまでもない。
【００４３】
また、上述の実施の形態では、色変換処理を行うための機能のすべてが、画像処理装置２に備わる構成を例示したが、必ずしもこれに限られるものではなく、画像処理システム１全体として、結果として本実施形態の色変換処理を実現することができれば、各機能がいずれの装置に備わっていてもよい。
【００４４】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００４５】
１  画像処理システム
２  画像処理装置    
２１  画像データ取得部    ２２  使用色判別部    ２３  操作入力部    ２４  記憶制御部    ２５  候補色情報取得部    ２６  色変換部    ２７  表示制御部    ２８  色変換済画像出力部
２０１  プリンタ    ２０２  プロセッサ    ２０３  スキャナ    ２０４  メモリ（記録部）    ２０５  コントロールパネル    ２０６  補助記憶装置    ２０７  ＡＳＩＣ
３  クライアント端末
３０１  プロセッサ    ３０２  メモリ    ３０３  キーボード    ３０４  マウス    ３０５  モニタ（ディスプレイ）
４  ＬＡＮ
【図１】
2012090268.tif 000003
【図２】
2012090268.tif 000004
【図３】
2012090268.tif 000005
【図４】
2012090268.tif 000006
【図５】
2012090268.tif 000007
【図６】
2012090268.tif 000008